(57)【要約】      （修正有）【課題】携帯型電子情報機器で路線又は道路を地図上の緯度経度情報をもとに線として管理し、線上に観光情報報知ポイントを予め設定しておき、地図上の現在位置が観光情報報知ポイントに到達した場合に、観光情報報知ポイントに関連付けられた観光情報の報知を自動的に開始する。【解決手段】携帯型電子情報機器20は、線的管理手段120が記憶された観光情報報知ポイントを検索し、記憶部110に記憶された観光情報の報知を開始させる観光情報報知手段180、現在位置情報に対応する緯度経度情報をもとに、地図検索手段160により記憶部110に記憶された地図情報を検索し、地図検索手段160の検索結果にもとづいて、現在位置情報に対応する緯度経度情報を含む地図情報に切り替える地図切替手段190を備える。【選択図】図１
2016218337.tif 000002
【特許請求の範囲】
【請求項１】
画像情報を表示可能な表示部と、
音声情報を出力可能な音声出力部と、
操作者が操作可能な操作部と、
緯度経度情報にもとづく地図情報、及び前記緯度経度情報に関連付けられた前記画像情報及び前記音声情報を含む観光情報を記憶可能な記憶部と、
前記緯度経度情報を含む現在位置情報を取得可能な位置情報取得部と、を備える携帯型電子情報機器であって、
前記携帯型電子情報機器には、
予め設定された路線又は道路を、前記緯度経度情報をもとに線として管理し、当該線上に地図情報切替ポイントと観光情報報知ポイントとを複数設定し、前記地図情報切替ポイントと前記観光情報報知ポイントとを前記緯度経度情報に関連付けて記憶した線的管理手段と、
前記位置情報取得部により取得した前記現在位置情報に対応する前記緯度経度情報をもとに、前記記憶部に記憶された前記地図情報を検索する地図検索手段と、
前記地図情報検索手段の検索結果にもとづいて、前記現在位置情報に対応する前記緯度経度情報を含む前記地図情報を前記表示部に表示させるとともに、前記表示部に表示された前記地図情報上に前記現在位置情報を表示させる地図表示制御手段と、
前記位置情報取得部により取得した前記現在位置情報に対応する前記緯度経度情報をもとに、前記線的管理手段が記憶された前記観光情報報知ポイントを検索し、前記記憶部に記憶された前記観光情報の報知を開始させる観光情報報知手段と、
前記位置情報取得部により取得した前記現在位置情報に対応する前記緯度経度情報をもとに、前記線的管理手段が記憶した前記地図情報切替ポイントを検索し、前記現在位置情報に対応する前記緯度経度情報と前記地図情報切替ポイントとが一致した場合に、前記現在位置情報に対応する前記緯度経度情報をもとに、前記地図検索手段により前記記憶部に記憶された前記地図情報を検索し、前記地図情報検索手段の検索結果にもとづいて、前記現在位置情報に対応する前記緯度経度情報を含む前記地図情報に切り替える地図切替手段と、を備えることを特徴とする携帯型電子情報機器。
【請求項２】
前記携帯型電子情報機器には、
前記観光情報報知ポイントを含む地域を、前記緯度経度情報をもとに面として管理し、当該面内を前記緯度経度情報をもとに複数のブロックにさらに仕切り、隣接する２つの前記ブロックの境目の前記緯度経度情報を地図切替ラインとして記憶した面的管理手段と、
前記位置情報取得部により取得した前記現在位置情報に対応する前記緯度経度情報をもとに、前記線的管理手段により管理される前記緯度経度情報から外れた場合に、前記面的管理手段に切り替える管理切替手段と、を備え、
前記地図表示制御手段は、
前記管理切替手段により前記線的管理手段から前記面的管理手段に切り替えられた場合に、前記現在位置情報に対応する前記緯度経度情報を含む前記ブロックの前記地図情報を前記表示部に表示させるとともに、当該地図情報中に前記観光情報報知ポイントを表示させ、
前記観光情報報知手段は、
前記地図情報上の前記観光情報報知ポイントが前記操作部を介して指示された場合に、前記観光情報報知ポイントに関連付けられた前記観光情報を前記記憶部から読み出し、前記表示部と前記音声出力部とのいずれか少なくとも一方を用いて報知させる、ことを特徴とする請求項１に記載の携帯型電子情報機器。
【請求項３】
前記地図切替手段は、
前記位置情報取得部により取得した前記現在位置情報に対応する前記緯度経度情報をもとに、前記面的管理手段が記憶した前記地図切替ラインを検索し、前記現在位置情報に対応する前記緯度経度情報が前記地図切替ラインを超えた場合に、前記現在位置情報に対応する前記緯度経度情報をもとに、前記地図検索手段により前記記憶部に記憶された前記地図情報を検索し、前記地図情報検索手段の検索結果にもとづいて、前記現在位置情報に対応する前記緯度経度情報を含む前記地図情報に切り替える、ことを特徴とする請求項２に記載の携帯型電子情報機器。
【請求項４】
前記携帯型電子情報機器には、
前記地図情報及び前記観光情報を記憶したサーバーと通信可能な通信部と、
前記通信部を介して前記サーバーと通信し、前記位置情報取得部により取得した前記現在位置情報に対応する前記緯度経度情報を含む前記地図情報を前記サーバーから取得する情報取得手段と、を備えることを特徴とする請求項１〜３のいずれか１項に記載の携帯型電子情報機器。
【請求項５】
前記情報取得手段は、
前記通信部を介して前記サーバーと通信し、前記サーバーに記憶された前記地図情報及び前記観光情報の作成日時と、前記記憶部に記憶された前記地図情報及び前記観光情報の作成日時とを比較し、前記サーバーに記憶された前記地図情報及び前記観光情報の作成日時が新しい場合に、前記サーバーに記憶された前記地図情報及び前記観光情報を取得する、ことを特徴とする請求項４に記載の携帯型電子情報機器。
【請求項６】
前記携帯型電子情報機器には、
近距離無線標識情報（以下「標識情報」という）を取得可能な標識情報取得部を備え、
前記記憶部には、
前記標識情報にもとづくエリアマップ情報、及び前記標識情報に関連付けられた画像情報及び音声情報を含むイベント情報を記憶し、
前記携帯型電子情報機器には、
前記標識情報を複数個含むエリアを面として管理し、当該面内を前記標識情報をもとに複数のブロックにさらに仕切り、隣接する２つの前記ブロックの境目に位置する前記標識情報をエリア情報切替ラインとして記憶したエリア管理手段を備え、
前記管理切替手段は、
前記標識情報取得部が前記標識情報を取得した場合には、前記エリア管理手段に優先的に切り替え、
前記エリア管理手段は、
前記標識情報取得部により取得した前記標識情報から現在位置情報401を計測し、当該現在位置情報401をもとに、前記記憶部に記憶された前記エリアマップ情報を読み出し、当該エリアマップ情報を前記表示部に表示させるとともに、前記表示部に表示された前記エリアマップ情報上に前記現在位置情報401を表示させ、
前記現在位置情報401と前記エリア情報切替ラインとが一致した場合に、前記現在位置情報401に対応する前記標識情報をもとに、前記記憶部に記憶された前記エリアマップ情報を読み出し、読み出した前記エリアマップ情報に切り替える、ことを特徴とする請求項２に記載の携帯型電子情報機器。
【請求項７】
前記エリア管理手段は、
前記表示部に表示された前記エリアマップ情報上に存在する標識情報に関連付けられたイベント情報を報知させるためのイベント報知ポイントを、前記表示部に表示された前記エリアマップ情報上に表示させ、
前記エリアマップ情報上の前記イベント報知ポイントが前記操作部を介して指示された場合に、当該イベント報知ポイントに関連付けられた前記イベント情報を前記記憶部から読み出し、前記表示部と前記音声出力部とのいずれか少なくとも一方を用いて報知させる、ことを特徴とする請求項６に記載の携帯型電子情報機器。
【発明の詳細な説明】
【技術分野】
【０００１】
この発明は、携帯型電子情報機器に関し、路線又は道路を地図上の緯度経度情報をもとに線として管理し、当該線上に観光情報報知ポイントを予め設定しておき、地図上の現在位置が観光情報報知ポイントに到達した場合に、当該観光情報報知ポイントに関連付けられた観光情報の報知を自動的に開始させることができるようにしたものである。
【背景技術】
【０００２】
従来、ユーザーが訪れたい観光スポットをイメージ可能なアイコンを選択し、当該アイコンを地図上に移動操作（ドラッグ・アンド・ドロップ）することで、オリジナルな地図を作成して携行することができるようにした地図画像表示制御システムが知られている（特許文献１の段落番号「０００１」及び図３参照）。
【先行技術文献】
【特許文献】
【０００３】
【特許文献１】特開２０１４−２２４９００号公報
【発明の概要】
【発明が解決しようとする課題】
【０００４】
しかし、上記した従来の地図画像表示制御システムでは、地図を面として管理していたので、路線又は道路に沿った観光情報を適切な位置で報知できないという問題点があった。
そこで、各請求項にそれぞれ記載された各発明は、上記した従来の技術の有する問題点に鑑みてなされたものであり、その目的とするところは、次の点にある。
【０００５】
（請求項１）
請求項１に記載の発明は、次の点を目的とする。
すなわち、請求項１に記載の発明は、路線又は道路を地図上の緯度経度情報をもとに線として管理し、当該線上に観光情報報知ポイントを予め設定しておき、地図上の現在位置が観光情報報知ポイントに到達した場合に、当該観光情報報知ポイントに関連付けられた観光情報の報知を自動的に開始させることができるようにしたものである。
【０００６】
（請求項２）
請求項２に記載の発明は、上記した請求項１に記載の発明の目的に加え、次の点を目的とする。
すなわち、請求項２に記載の発明は、地域を地図上の緯度経度情報をもとに面として管理し、地図上の現在位置が線から外れた場合に、面として管理に切り替えることができるようにしたものである。
【０００７】
（請求項３）
請求項３に記載の発明は、上記した請求項１又は請求項２に記載の発明の目的に加え、次の点を目的とする。
すなわち、請求項３に記載の発明は、面として管理において地図情報を適切に切り替えることができるようにしたものである。
【０００８】
（請求項４）
請求項４に記載の発明は、上記した請求項１〜３のいずれか１項に記載の発明の目的に加え、次の点を目的とする。
すなわち、請求項４に記載の発明は、携帯型電子情報機器が通信可能なサーバーから地図情報を取得することができるようにしたものである。
請求項４に記載の発明によれば、携帯型電子情報機器において、地図情報の記憶容量を減少させることができる。
【０００９】
（請求項５）
請求項５に記載の発明は、上記した請求項４に記載の発明の目的に加え、次の点を目的とする。
すなわち、請求項５に記載の発明は、最新の地図情報及び観光情報を、サーバーから取得することができるようにしたものである。
【００１０】
（請求項６）
請求項６に記載の発明は、上記した請求項２に記載の発明の目的に加え、次の点を目的とする。
すなわち、請求項６に記載の発明は、いわゆるビーコン等の近距離無線標識情報を活用することができるようにしたものである。
請求項６に記載の発明によれば、主としていわゆるＧＰＳ情報を用い、ＧＰＳ情報を取得不能もしくは困難な地下等において、ビーコンを使用することができる。
【００１１】
（請求項７）
請求項７に記載の発明は、上記した請求項６に記載の発明の目的に加え、次の点を目的とする。
すなわち、請求項７に記載の発明は、いわゆるビーコン等の近距離無線標識情報をもとに、イベント情報を適切に報知させることができるようにしたものである。
【課題を解決するための手段】
【００１２】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
【００１３】
（請求項１）
請求項１に記載の発明は、次の点を特徴とする。
第１に、携帯型電子情報機器(20)は、例えば図１に示すように、次の構成を備える。
（１）表示部(400)
表示部(400)は、画像情報を表示可能なものである。
（２）音声出力部(410)
音声出力部(410)は、音声情報を出力可能なものである。
（３）操作部(300)
操作部(300)は、操作者が操作可能なものである。
（４）記憶部(110)
記憶部(110)は、緯度経度情報にもとづく地図情報(111)、及び緯度経度情報に関連付けられた画像情報及び音声情報(411)を含む観光情報(112)を記憶可能なものである。
（５）位置情報取得部(330)
位置情報取得部(330)は、緯度経度情報を含む現在位置情報(401)を取得可能なものである。
【００１４】
第２に、携帯型電子情報機器(20)には、例えば図１に示すように、次の構成を備える。
（６）線的管理手段(120)
線的管理手段(120)は、予め設定された路線又は道路を、緯度経度情報をもとに線として管理し、当該線上に地図情報切替ポイント(Pa1,Pa2,Pa4)と観光情報報知ポイント(Pa1,Pa3,Pa5)とを複数設定し、地図情報切替ポイント(Pa1,Pa2,Pa4)と観光情報報知ポイント(Pa1,Pa3,Pa5)とを緯度経度に関連付けて記憶したものである。
（７）地図検索手段(160)
地図検索手段(160)は、位置情報取得部(330)により取得した現在位置情報(401)に対応する緯度経度情報をもとに、記憶部(110)に記憶された地図情報(111)を検索するものである。
（８）地図表示制御手段(170)
地図表示制御手段(170)は、地図検索手段(160)の検索結果にもとづいて、現在位置情報(401)に対応する緯度経度情報を含む地図情報(111)を表示部(400)に表示させるとともに、表示部(400)に表示された地図情報(111)上に現在位置情報(401)を表示させるものである。
（９）観光情報報知手段(180)
観光情報報知手段(180)は、位置情報取得部(330)により取得した現在位置情報(401)に対応する緯度経度情報をもとに、線的管理手段(120)が記憶された観光情報報知ポイント(Pa1,Pa3,Pa5)を検索し、記憶部(110)に記憶された観光情報(112)の報知を開始させるものである。
（１０）地図切替手段(190)
地図切替手段(190)は、位置情報取得部(330)により取得した現在位置情報(401)に対応する緯度経度情報をもとに、線的管理手段(120)が記憶した地図情報切替ポイント(Pa1,Pa2,Pa4)を検索し、現在位置情報(401)に対応する緯度経度情報と地図情報切替ポイント(Pa1,Pa2,Pa4)とが一致した場合に、現在位置情報(401)に対応する緯度経度情報をもとに、地図検索手段(160)により記憶部(110)に記憶された地図情報(111)を検索し、地図検索手段(160)の検索結果にもとづいて、現在位置情報(401)に対応する緯度経度情報を含む地図情報(111)に切り替えるものである。
【００１５】
（請求項２）
請求項２に記載の発明は、上記した請求項１に記載の発明の特徴点に加え、次の点を特徴とする。
第１に、携帯型電子情報機器(20)には、例えば図１に示すように、次の構成を備える。
（１）面的管理手段(130)
面的管理手段(130)は、観光情報報知ポイント(Pa1,Pa3,Pa5)を含む地域を、緯度経度情報をもとに面として管理し、当該面内を緯度経度情報をもとに複数のブロックにさらに仕切り、隣接する２つのブロックの境目の緯度経度情報を地図切替ライン(X,Y)として記憶したものである。
（２）管理切替手段(150)
管理切替手段(150)は、位置情報取得部(330)により取得した現在位置情報(401)に対応する緯度経度情報をもとに、線的管理手段(120)により管理される緯度経度情報から外れた場合に、面的管理手段(130)に切り替えるものである。
【００１６】
第２に、地図表示制御手段(170)は、管理切替手段(150)により線的管理手段(120)から面的管理手段(130)に切り替えられた場合に、現在位置情報(401)に対応する緯度経度情報を含むブロックの地図情報(111)を表示部(400)に表示させるとともに、当該地図情報(111)中に観光情報報知ポイント(402)を表示させる。
第３に、観光情報報知手段(180)は、地図情報(111)上の観光情報報知ポイント(402)が操作部(300)を介して指示された場合に、観光情報報知ポイント(402)に関連付けられた観光情報(112)を記憶部(110)から読み出し、表示部(400)と音声出力部(410)とのいずれか少なくとも一方を用いて報知させる。
【００１７】
（請求項３）
請求項３に記載の発明は、上記した請求項２に記載の発明の特徴点に加え、次の点を特徴とする。
すなわち、地図切替手段(190)は、位置情報取得部(330)により取得した現在位置情報(401)に対応する緯度経度情報をもとに、面的管理手段(130)が記憶した地図切替ライン(X,Y)を検索し、現在位置情報(401)に対応する緯度経度情報が地図切替ライン(X,Y)を超えた場合に、現在位置情報(401)に対応する緯度経度情報をもとに、地図検索手段(160)により記憶部(110)に記憶された地図情報(111)を検索し、地図検索手段(160)の検索結果にもとづいて、現在位置情報(401)に対応する緯度経度情報を含む地図情報(111)に切り替える。
【００１８】
（請求項４）
請求項４に記載の発明は、上記した請求項１〜３のいずれか１項に記載の発明の特徴点に加え、次の点を特徴とする。
すなわち、携帯型電子情報機器(20)には、例えば図１に示すように、次の構成を備える。
（１）通信部(420)
通信部(420)は、地図情報(111)及び観光情報(112)を記憶したサーバー(30)と通信可能なものである。
（２）情報取得手段(200)
情報取得手段(200)は、通信部(420)を介してサーバー(30)と通信し、位置情報取得部(330)により取得した現在位置情報(401)に対応する緯度経度情報を含む地図情報(111)をサーバー(30)から取得するものである。
【００１９】
（請求項５）
請求項５に記載の発明は、上記した請求項４に記載の発明の特徴点に加え、次の点を特徴とする。
すなわち、情報取得手段(200)は、通信部(420)を介してサーバー(30)と通信し、サーバー(30)に記憶された地図情報(111)及び観光情報(112)の作成日時と、記憶部(110)に記憶された地図情報(111)及び観光情報(112)の作成日時とを比較し、サーバー(30)に記憶された地図情報(111)及び観光情報(112)の作成日時が新しい場合に、サーバー(30)に記憶された地図情報(111)及び観光情報(112)を取得する。
【００２０】
（請求項６）
請求項６に記載の発明は、上記した請求項２に記載の発明の特徴点に加え、次の点を特徴とする。
第１に、携帯型電子情報機器(20)には、近距離無線標識情報（以下「標識情報」という）を取得可能な標識情報取得部(340)を備える。
第２に、記憶部(110)には、標識情報にもとづくエリアマップ情報(113)、及び標識情報に関連付けられた画像情報及び音声情報(411)を含むイベント情報(114)を記憶する。
第３に、携帯型電子情報機器(20)には、標識情報を複数個含むエリアを面として管理し、当該面内を標識情報をもとに複数のブロックにさらに仕切り、隣接する２つのブロックの境目に位置する標識情報をエリア情報切替ラインとして記憶したエリア管理手段(140)を備える。
【００２１】
第４に、管理切替手段(150)は、標識情報取得部(340)が標識情報を取得した場合には、エリア管理手段(140)に優先的に切り替える。
第５に、エリア管理手段(140)は、標識情報取得部(340)により取得した標識情報から現在位置を計測し、当該現在位置をもとに、記憶部(110)に記憶されたエリアマップ情報(113)を読み出し、当該エリアマップ情報(113)を表示部(400)に表示させるとともに、表示部(400)に表示されたエリアマップ情報(113)上に現在位置を表示させる。
第６に、エリア管理手段(140)は、現在位置とエリア情報切替ラインとが一致した場合に、現在位置に対応する標識情報をもとに、記憶部(110)に記憶されたエリアマップ情報(113)を読み出し、読み出したエリアマップ情報(113)に切り替える。
【００２２】
（請求項７）
請求項７に記載の発明は、上記した請求項６に記載の発明の特徴点に加え、次の点を特徴とする。
第１に、エリア管理手段(140)は、表示部(400)に表示されたエリアマップ情報(113)上に存在する標識情報に関連付けられたイベント情報(114)を報知させるためのイベント報知ポイントを、表示部(400)に表示されたエリアマップ情報(113)上に表示させる。
第２に、エリア管理手段(140)は、エリアマップ情報(113)上のイベント報知ポイントが操作部(300)を介して指示された場合に、当該イベント報知ポイントに関連付けられたイベント情報(114)を記憶部(110)から読み出し、表示部(400)と音声出力部(410)とのいずれか少なくとも一方を用いて報知させる。
【発明の効果】
【００２３】
本発明は、以上のように構成されているので、以下に記載されるような効果を奏する。
（請求項１）
請求項１に記載の発明によれば、次のような効果を奏する。
すなわち、請求項１に記載の発明によれば、路線又は道路を地図上の緯度経度情報をもとに線として管理し、当該線上に観光情報報知ポイントを予め設定しておき、地図上の現在位置が観光情報報知ポイントに到達した場合に、当該観光情報報知ポイントに関連付けられた観光情報の報知を自動的に開始させることができる。
【００２４】
（請求項２）
請求項２に記載の発明によれば、上記した請求項１に記載の発明の発明に加え、次のような効果を奏する。
すなわち、請求項２に記載の発明によれば、地域を地図上の緯度経度情報をもとに面として管理し、地図上の現在位置が線から外れた場合に、面として管理に切り替えることができる。
【００２５】
（請求項３）
請求項３に記載の発明によれば、上記した請求項１又は請求項２に記載の発明の発明に加え、次のような効果を奏する。
すなわち、請求項３に記載の発明によれば、面として管理において地図情報を適切に切り替えることができる。
【００２６】
（請求項４）
請求項４に記載の発明によれば、上記した請求項１〜３のいずれか１項に記載の発明の発明に加え、次のような効果を奏する。
すなわち、請求項４に記載の発明によれば、携帯型電子情報機器が通信可能なサーバーから地図情報を取得することができる。
請求項４に記載の発明によれば、携帯型電子情報機器において、地図情報の記憶容量を減少させることができる。
【００２７】
（請求項５）
請求項５に記載の発明によれば、上記した請求項４に記載の発明の発明に加え、次のような効果を奏する。
すなわち、請求項５に記載の発明によれば、最新の地図情報及び観光情報を、サーバーから取得することができる。
【００２８】
（請求項６）
請求項６に記載の発明によれば、上記した請求項２に記載の発明の発明に加え、次のような効果を奏する。
すなわち、請求項６に記載の発明によれば、いわゆるビーコン等の近距離無線標識情報を活用することができる。
請求項６に記載の発明によれば、主としていわゆるＧＰＳ情報を用い、ＧＰＳ情報を取得不能もしくは困難な地下等において、ビーコンを使用することができる。
【００２９】
（請求項７）
請求項７に記載の発明によれば、上記した請求項６に記載の発明の発明に加え、次のような効果を奏する。
すなわち、請求項７に記載の発明によれば、いわゆるビーコン等の近距離無線標識情報をもとに、イベント情報を適切に報知させることができる。
【図面の簡単な説明】
【００３０】
【図１】情報機器の概略ブロック図である。
【図２】地図情報管理システムの概要を説明するための説明図である。
【図３】図１の記憶部の詳細を説明するためのブロック図である。
【図４】線的及び面的な管理の説明するための説明図である。
【図５】列車路線の線的な管理の説明図である。
【図６】バス路線や遊歩道の線的な管理の説明図である。
【図７】面的な管理の説明図である。
【図８】図７のブロックの説明図である。
【図９】表示部400の表示例の説明図である。
【図１０】本発明の第２の実施の形態を示し、同図は情報機器とマスコットの概略斜視図である。
【図１１】図１０のマスコットを情報機器への取付構造を説明するための概略平面図である。
【発明を実施するための形態】
【００３１】
（地図情報管理システム10）
図２中、10は、地図情報管理システムを示すものである。
地図情報管理システム10には、大別すると、次の機器や周辺環境を備える。なお、携帯型電子情報機器20については、後述する。また、地図情報管理システム10の機器や周辺環境は、次の（１）〜（４）に限定されない。
（１）携帯型電子情報機器20（以下「情報機器20」という。）
（２）サーバー30
サーバー30は、通信回線を使用して、インターネット等のネットワークを介して情報機器20に接続可能なものである。サーバー30には、緯度経度情報にもとづく最新の地図情報111、及び緯度経度情報に関連付けられた画像情報及び音声情報411を含む最新の観光情報112を記憶されている。
（３）ＧＰＳ衛星40
ＧＰＳ衛星40は、グローバル・ポジショニング・システム（以下「ＧＰＳ」という。）で用いられる人工衛星である。情報機器20は、複数のＧＰＳ衛星40から発信されたＧＰＳ情報を受信することで、情報機器20の現在位置情報401を計測できる。
（４）発信側ビーコン端末50
発信側ビーコン端末50は、近距離無線標識情報（以下「標識情報」という）を発信する端末である。情報機器20は、発信側ビーコン端末50から発信された標識情報を受信することで、情報機器20の現在位置を計測できる。
【００３２】
（情報機器20）
情報機器20は、多機能携帯電話であり、図１に示すように、機器本体100を中心に構成されている。
なお、情報機器20として、「スマートフォン」（通称「スマホ」）等の多機能携帯電話を例示したが、これに限定されず、例えば携帯可能な通常の携帯電話、ノートＰＣ、タブレットＰＣ等でもよい。
【００３３】
（機器本体100の構造）
機器本体100は、図示しないが、ＣＰＵを中心に構成され、記憶部110に記憶される各種のプログラム及びデータを読み込むことで、次の手段として機能する。
なお、次の（１）〜（９）の手段については後述する。
（１）線的管理手段120
（２）面的管理手段130
（３）エリア管理手段140
（４）管理切替手段150
（５）地図検索手段160
（６）地図表示制御手段170
（７）観光情報報知手段180
（８）地図切替手段190
（９）情報取得手段200
なお、機器本体100の手段として、上記した（１）〜（９）を挙げたが、これらに限定されず、これらの手段を同時に全て備えている必要なく、又、他の手段を備えていてもよい。
【００３４】
（機器本体100の入力段）
機器本体100の入力段には、図１に示すように、次の各部がそれぞれ接続されている。
（１）操作部300
操作部300は、操作者が操作可能なものであり、例えばタッチパネルから構成されている。
（２）画像取得部310
画像取得部310は、画像を取得可能なものであり、例えばＣＣＤカメラから構成されている。
（３）音声情報取得部320
音声情報取得部320は、音声情報を取得可能なものであり、例えばマイクから構成されている。
（４）位置情報取得部330
位置情報取得部330は、緯度経度情報を含む現在位置情報401を取得可能なものであり、例えばＧＰＳ衛星から発信されたＧＰＳ情報（時刻情報やＧＰＳ衛星の軌道情報等）を受信可能なＧＰＳ受信機から構成されている。
（５）標識情報取得部340
標識情報取得部340は、近距離無線標識情報（以下「標識情報」という）を取得可能なものであり、例えば発信側のビーコン端末から発信されたビーコン情報（固有のＩＤ情報等）を受信可能なビーコン受信機から構成されている。
【００３５】
（機器本体100の出力段）
機器本体100の入力段には、図１に示すように、次の各部がそれぞれ接続されている。
（１）表示部400
表示部400は、画像情報を表示可能なものであり、例えば液晶ディスプレイから構成されている。
（２）音声出力部410
音声出力部410は、音声情報を出力可能なものであり、例えばスピーカから構成されている。
（３）通信部420
通信部420は、地図情報111及び観光情報112を記憶したサーバー30と通信可能なものであり、例えば携帯電話やスマートフォン用の通信網を介してインターネット上のサーバー30と通信可能な通信機から構成されている。
【００３６】
（記憶部110）
記憶部110は、図３に示すように、緯度経度情報にもとづく地図情報111、及び緯度経度情報に関連付けられた画像情報及び音声情報411を含む観光情報112を記憶可能なものであり、例えば機器本体100に内蔵されたＲＡＭやＲＯＭから構成されている。記憶部110には、これらの情報のほか、各種のプログラム及びデータが記憶されている。
なお、記憶部110として、機器本体100に内蔵されたＲＡＭやＲＯＭを使用したが、これらに限定されず、機器本体100に接続可能な、メモリーカード等の外部記憶装置を用いてもよい。
また、記憶部110には、標識情報にもとづくエリアマップ情報113、及び標識情報に関連付けられた画像情報及び音声情報411を含むイベント情報114を記憶する。
【００３７】
（線的管理手段120）
線的管理手段120は、予め設定された路線又は道路を、緯度経度情報をもとに線として管理し、図５に示すように、当該線上に地図情報切替ポイントPa1,Pa2,Pa4と観光情報報知ポイントPa1,Pa3,Pa5とを複数設定し、地図情報切替ポイントPa1,Pa2,Pa4と観光情報報知ポイントPa1,Pa3,Pa5とを緯度経度に関連付けて記憶したものである。
【００３８】
（面的管理手段130）
面的管理手段130は、図５に示すように、観光情報報知ポイントPa1,Pa3,Pa5を含む地域を、緯度経度情報をもとに面として管理し、図９に示すように、当該面内を緯度経度情報をもとに複数のブロックにさらに仕切り、隣接する２つのブロックの境目の緯度経度情報を地図切替ラインＸ，Ｙとして記憶したものである。
【００３９】
（エリア管理手段140）
エリア管理手段140は、標識情報を複数個含むエリアを面として管理し、当該面内を標識情報をもとに複数のブロックにさらに仕切り、隣接する２つのブロックの境目に位置する標識情報をエリア情報切替ラインとして記憶したものである。
また、エリア管理手段140は、標識情報取得部340により取得した標識情報から現在位置を計測し、当該現在位置をもとに、記憶部110に記憶されたエリアマップ情報113を読み出し、当該エリアマップ情報113を表示部400に表示させるとともに、表示部400に表示されたエリアマップ情報113上に現在位置を表示させる。
これに加え、エリア管理手段140は、現在位置とエリア情報切替ラインとが一致した場合に、現在位置に対応する標識情報をもとに、記憶部110に記憶されたエリアマップ情報113を読み出し、読み出したエリアマップ情報113に切り替える。
また、エリア管理手段140は、表示部400に表示されたエリアマップ情報113上に存在する標識情報に関連付けられたイベント情報114を報知させるためのイベント報知ポイントを、表示部400に表示されたエリアマップ情報113上に表示させる。
これに加え、エリア管理手段140は、エリアマップ情報113上のイベント報知ポイントが操作部300を介して指示された場合に、当該イベント報知ポイントに関連付けられたイベント情報114を記憶部110から読み出し、表示部400と音声出力部410とのいずれか少なくとも一方を用いて報知させる。
【００４０】
（管理切替手段150）
管理切替手段150は、位置情報取得部330により取得した現在位置情報401に対応する緯度経度情報をもとに、線的管理手段120により管理される緯度経度情報から外れた場合に、面的管理手段130に切り替えるものである。
また、管理切替手段150は、標識情報取得部340が標識情報を取得した場合には、エリア管理手段140に優先的に切り替える。
【００４１】
（地図検索手段160）
地図検索手段160は、位置情報取得部330により取得した現在位置情報401に対応する緯度経度情報をもとに、記憶部110に記憶された地図情報111を検索するものである。
【００４２】
（地図表示制御手段170）
地図表示制御手段170は、地図検索手段(160)の検索結果にもとづいて、現在位置情報401に対応する緯度経度情報を含む地図情報111を表示部400に表示させるとともに、表示部400に表示された地図情報111上に現在位置情報401を表示させるものである。
また、地図表示制御手段170は、管理切替手段150により線的管理手段120から面的管理手段130に切り替えられた場合に、現在位置情報401に対応する緯度経度情報を含むブロックの地図情報111を表示部400に表示させるとともに、当該地図情報111中に観光情報報知ポイント402を表示させる。
【００４３】
（観光情報報知手段180）
観光情報報知手段180は、位置情報取得部330により取得した現在位置情報401に対応する緯度経度情報をもとに、線的管理手段120が記憶された観光情報報知ポイントPa1,Pa3,Pa5を検索し、記憶部110に記憶された観光情報112の報知を開始させるものである。
また、観光情報報知手段180は、地図情報111上の観光情報報知ポイント402が操作部300を介して指示された場合に、観光情報報知ポイント402に関連付けられた観光情報112を記憶部110から読み出し、表示部400と音声出力部410とのいずれか少なくとも一方を用いて報知させる。
【００４４】
（地図切替手段190）
地図切替手段190は、位置情報取得部330により取得した現在位置情報401に対応する緯度経度情報をもとに、線的管理手段120が記憶した地図情報切替ポイントPa1,Pa2,Pa4を検索し、現在位置情報401に対応する緯度経度情報と地図情報切替ポイントPa1,Pa2,Pa4とが一致した場合に、現在位置情報401に対応する緯度経度情報をもとに、地図検索手段160により記憶部110に記憶された地図情報111を検索し、地図検索手段160の検索結果にもとづいて、現在位置情報401に対応する緯度経度情報を含む地図情報111に切り替えるものである。
また、地図切替手段190は、位置情報取得部330により取得した現在位置情報401に対応する緯度経度情報をもとに、面的管理手段130が記憶した地図切替ラインＸ，Ｙを検索し、現在位置情報401に対応する緯度経度情報が地図切替ラインＸ，Ｙを超えた場合に、現在位置情報401に対応する緯度経度情報をもとに、地図検索手段160により記憶部110に記憶された地図情報111を検索し、地図検索手段160の検索結果にもとづいて、現在位置情報401に対応する緯度経度情報を含む地図情報111に切り替える。
【００４５】
（情報取得手段200）
情報取得手段200は、通信部420を介してサーバー30と通信し、位置情報取得部330により取得した現在位置情報401に対応する緯度経度情報を含む地図情報111をサーバー30から取得するものである。
また、情報取得手段200は、通信部420を介してサーバー30と通信し、サーバー30に記憶された地図情報111及び観光情報112の作成日時と、記憶部110に記憶された地図情報111及び観光情報112の作成日時とを比較し、サーバー30に記憶された地図情報111及び観光情報112の作成日時が新しい場合に、サーバー30に記憶された地図情報111及び観光情報112を取得する。
【００４６】
（図３を用いた記憶部110の説明）
記憶部110には、図３に示すように、大別すると、次の情報が記憶されている。
（１）地図情報111
地図情報111は、緯度経度情報を含むものである。
（２）観光情報112
観光情報112は、緯度経度情報に関連付けられた画像情報及び音声情報411を含むものである。
観光情報112は、例えば（ａ）歴史的情報、（ｂ）季節的情報、（ｃ）催事・風土情報、（ｄ）その他の情報（食事、トイレ、ショップ、おみやげ、交通情報、駐車場）等に分類されている。
画像情報には、写真やイラスト等の静止画情報と、動画情報とが含まれる。
音声情報411には、音声情報のほか、川のせせらぎや波の音、小鳥の鳴き声等の自然音や音楽等が含まれる。
（３）エリアマップ情報113
エリアマップ情報113は、標識情報を含むものである。
（４）イベント情報114
イベント情報114は、標識情報に関連付けられた画像情報及び音声情報411を含むものである。画像情報及び音声情報411については、前述した通りである。
【００４７】
（図４を用いた線的及び面的な管理の説明）
つぎに、図４を用いて、線的及び面的な管理について説明する。
線的な管理として、列車若しくは電車の路線を用いた列車用線的管理エリア60、バスの路線を用いたバス用線的管理エリア61、遊歩道や目的地迄の順路である道路を用いた歩行用線的管理エリア62を例示している。
面的な管理として、観光地の地区を用いた面的管理エリア70を例示している。
使用態様としては、電車に乗って観光地まで行く。乗車中に、携帯型電子情報機器20を各種の手段として機能させるアプリケーションを起動すると、列車用線的管理エリア60で管理された各種の情報が出力される。すなわち、列車用線的管理エリア60は、線的管理手段120で管理され、取得した現在位置情報401にもとづいて、地図情報111及び観光情報112に含まれる画像情報（静止画情報、動画情報）が画像表示されるとともに、観光情報112に含まれる音声情報411の音声出力が実行される。
駅で下車し、バスに乗車すると、列車用線的管理エリア60からバス用線的管理エリア61に切り替わる。エリアの切り替えは、管理切替手段150により制御される。
また、駅で下車後、遊歩道や目的地迄の順路を歩くと、列車用線的管理エリア60から歩行用線的管理エリア62に切り替わる。
さらに、駅で下車後、市街地を探索すると、列車用線的管理エリア60から面的管理エリア70に切り替わる。面的管理エリア70は、面的管理手段130により管理される。
なお、観光地への移動を、列車若しくは電車を例示して説明したが、これに限定されず、飛行機を利用し、空港に降り立った時点で、空港の周辺に線的若しくは面的管理エリアを配置してもよいし、或いは船舶の寄港地の周辺や、自動車の駐車場やドライブインの周辺に線的若しくは面的管理エリアを配置してもよい。
【００４８】
また、駅やバス停は、定点FP10,FP20として管理されている。定点FP10,FP20は、予め設定された緯度・経度を中心とする所定距離（例えば半径１００ｍ）の円形のエリアで管理されている。例えば駅に下車し、駅である定点FP10のエリア内に入ると、「ピンポン」等の疑似音や、観光地をイメージさせる音楽が出力され、又、観光情報を含む周辺の地図（面的管理エリア70の地図）が表示される。バス停である定点FP20についても同様である。
なお、定点FP10,FP20として、駅やバス停を例示したが、これに限定されず、駐車場、ガソリンスタンド、道の駅、公園、動物園、遊園地、美術館、博物館、デパート、ショッピングセンター、ショッピングモール、コンビニエンスストア、土産物屋、レストラン、食堂、料理店、すし屋、そば屋、弁当屋、カフェー、ホテル、旅館等の入り口を定点に含めてもよい。
【００４９】
（図５を用い、列車路線の線的な管理の説明）
図５を用いて、列車路線の線的な管理、すなわち図４に示す列車用線的管理エリア60について説明する。
列車用線的管理エリア60は、線的管理手段120により管理されている。
列車路線に沿って、複数のポイントPa1〜Pa5が設定され、これらは緯度経度情報に関連付けて記憶されている。
【００５０】
取得した現在位置情報401の緯度経度情報は、記憶されたポイントPa1〜Pa5の緯度経度情報と比較される。
取得した現在位置情報401の緯度経度情報が、複数のポイントPa1〜Pa5のうち、ポイントPa1の緯度経度情報と一致すると、ポイントPa1に対応する各種の情報が出力される。すなわち、地図Ma1が、携帯型電子情報機器20の表示部400に表示される（図９（ａ）参照）。このとき、ポイントPa1は、地図情報切替ポイントとして機能する。
また、表示部400に表示されている地図Ma1中には、図９（ａ）に示すように、現在位置情報401が表示される。現在位置情報401は、列車路線上の列車の現在位置情報401を示している。
【００５１】
さらに、現在位置情報401の緯度経度情報が、ポイントPa1の緯度経度情報に一致すると、地図Ma1中に、画像Ia1の表示が開始される（図９（ａ）参照）。画像Ia1は、地図Ma1中に重ねて表示させてもよいし、或いは、図９（ｃ）に示すように、ウインドウ403を表示させ、ウインドウ403中に表示させてもよい。また、同時に、音声Sa1の出力を開始され、携帯型電子情報機器20の音声出力部410から出力される（図９（ｂ）参照）。このとき、ポイントPa1は、観光情報報知ポイントとして機能する。
現在位置情報401は、列車路線上の列車の移動に伴って、地図Ma1中で移動する。
なお、画像Ia1は、地図Ma1の表示に同期させてもよいし、或いは同期させず、例えば動画等はその再生時間中、継続して表示させるようにしてもよい。また、音声Sa1も、地図Ma1の表示に同期させて、繰り返して出力させてもよいし、或いは音声の出力時間に合わせて終了させてもよい。
【００５２】
現在位置情報401の緯度経度情報が、ポイントPa1の緯度経度情報から移動し、ポイントPa2の緯度経度情報に一致すると、地図Ma1から次の地図Ma2に切り替わる。地図Ma1と次の地図Ma2とは一部重複させ、切り替わり時に現在位置情報401を見失わないようにしている。
また、同時に、ポイントPa2に達すると、画像Ia1が表示と、音声Sa1の出力とが終了する。
その後、現在位置情報401の緯度経度情報が、ポイントPa2の緯度経度情報から移動し、ポイントPa3の緯度経度情報に一致すると、画像Ia2の表示と、音声Sa2の出力とが開始される。
【００５３】
現在位置情報401の緯度経度情報が、ポイントPa3の緯度経度情報から移動し、ポイントPa4の緯度経度情報に一致すると、地図Ma2から次の地図Ma3に切り替わる。このとき、画像Ia2の表示と、音声Sa2の出力とが継続される。
その後、現在位置情報401の緯度経度情報が、ポイントPa4を通過後、画像Ia2の表示時間と、音声Sa2の出力時間とを経過すると、画像Ia2の表示と、音声Sa2の出力とが終了する。
その後、現在位置情報401の緯度経度情報が、ポイントPa4の緯度経度情報から移動し、ポイントPa5の緯度経度情報に一致すると、画像Ia3の表示と、音声Sa3の出力とが開始される。
【００５４】
また、駅には、定点FP11〜FP13が設定され、電車に乗車して移動中、駅を通過する度に、駅固有の疑似音や、観光地をイメージさせる音楽が出力され、又、観光情報を含む周辺の地図（列車用線的管理エリア60の地図）が表示される。また、駅で下車し、駅である定点FP11〜FP13の一つのエリア内に徒歩で入ると、駅固有の疑似音や、観光地をイメージさせる音楽が出力され、又、観光情報を含む周辺の地図（面的管理エリア70の地図）が表示される。
【００５５】
さらに、電車や列車等の乗り物の移動速度と、表示される地図の縮尺や、観光スポットの数と関連付けている。すなわち、普通列車と新幹線とを比較すると、数倍移動速度が相違するため、新幹線の場合には、普通列車と比較し、縮尺を大きくし、又、地図上の観光スポットの数を減少させている。乗り物としては、電車や列車と、自動車との場合や、航空機、船舶、自転車等の場合も、同様に乗り物の移動速度と、地図の縮尺や、観光スポットの数とを関連付けている。また、乗り物を使用しない徒歩、子ども連れ、高齢者の場合にも、移動側速度が相違するため、歩行者の移動速度と、地図の縮尺や、観光スポットの数とを関連付けている。
【００５６】
（図６を用い、バス路線や遊歩道の線的な管理の説明）
図６を用いて、バス路線や遊歩道の線的な管理、すなわち図４に示すバス用及び歩行用線的管理エリア61,62について説明する。
バス用及び歩行用線的管理エリア61,62は、線的管理手段120により管理されている。
バス路線や遊歩道に沿って、複数のポイントPb1〜Pba6が設定され、これらは緯度経度情報に関連付けて記憶されている。
取得した現在位置情報401の緯度経度情報は、記憶されたポイントPb1〜Pb6の緯度経度情報と比較される。
取得した現在位置情報401の緯度経度情報が、複数のポイントPb1〜Pb6のうち、ポイントPa1の緯度経度情報と一致すると、ポイントPb1に対応する各種の情報が出力される。すなわち、地図Mb1が、携帯型電子情報機器20の表示部400に表示される（図９（ａ）参照）。このとき、ポイントPb1は、地図情報切替ポイントとして機能する。
また、表示部400に表示されている地図Mb1中には、図９（ａ）に示すように、現在位置情報401が表示される。現在位置情報401は、バス路線上のバスの現在位置情報401や、遊歩道上の歩行者の現在位置情報401を示している。
現在位置情報401は、バス路線上のバスや、遊歩道上の歩行者の移動に伴って、地図Mb1中で移動する。
【００５７】
その後、現在位置情報401の緯度経度情報が、ポイントPb1の緯度経度情報から移動し、ポイントPb2の緯度経度情報に一致すると、画像Ib1の表示と、音声Sb1の出力とが開始される。このとき、ポイントPb2は、観光情報報知ポイントとして機能する。
現在位置情報401の緯度経度情報が、ポイントPb2の緯度経度情報から移動し、ポイントPb3の緯度経度情報に一致すると、地図Mb1から次の地図Mb2に切り替わる。地図Mb1と次の地図Mb2とは一部重複させ、切り替わり時に現在位置情報401を見失わないようにしている。
その後、現在位置情報401の緯度経度情報が、ポイントPb3を通過後、画像Ib1の表示時間と、音声Sb1の出力時間とを経過すると、画像Ib1の表示と、音声Sb1の出力とが終了する。
現在位置情報401の緯度経度情報が、ポイントPb3の緯度経度情報から移動し、ポイントPb4の緯度経度情報に一致すると、画像Ib2の表示と、音声Sb2の出力とが開始される。
現在位置情報401の緯度経度情報が、ポイントPb4の緯度経度情報から移動し、ポイントPb5の緯度経度情報に一致すると、地図Mb2から次の地図Mb3に切り替わる。同時に、画像Ib2の表示と、音声Sb2の出力とが終了する。
現在位置情報401の緯度経度情報が、ポイントPb5の緯度経度情報から移動し、ポイントPb6の緯度経度情報に一致すると、画像Ib3の表示と、音声Sb3の出力とが開始される。
その後、現在位置情報401の緯度経度情報が、ポイントPb6を通過後、画像Ib3の表示時間と、音声Sb3の出力時間とを経過すると、画像Ib3の表示と、音声Sb3の出力とが終了する。
【００５８】
また、バス停には、定点FP21が設定され、バスに乗車して移動中、バス停を通過する度に、バス停固有の疑似音や、観光地をイメージさせる音楽が出力され、又、観光情報を含む周辺の地図（バス用線的管理エリア61の地図）が表示される。また、バス停で下車し、バス停駅である定点FP21の一つのエリア内に徒歩で入ると、バス停固有の疑似音や、観光地をイメージさせる音楽が出力され、又、観光情報を含む周辺の地図（徒歩用線的管理エリア62や面的管理エリア70の地図）が表示される。
【００５９】
（図７を用いた面的な管理の説明）
図７を用いて、面的な管理、すなわち図４に示す面的管理エリア70について説明する。
面的管理エリア70は、緯度経度情報と関連付け、複数のブロックm1〜m9に分割されて管理されている。
複数のブロックm1〜m9のうち、ブロックm1を例に挙げると、ブロックm1は、経度X1〜X2と、緯度Y3〜Y4との範囲内に位置する。ブロックm1については、図９（ａ）に示す地図情報111が記憶され、当該地図情報111内には、緯度経度情報と関連付け、複数の観光情報報知ポイント402が配置されている。各観光情報報知ポイント402には、写真やイラスト等の静止画或いは動画等から構成された画像情報、或いは音声情報410が含まれている。
【００６０】
取得した現在位置情報401の緯度経度情報が、経度X1〜X2及び緯度Y3〜Y4の範囲内に位置する場合には、ブロックm1に対応する地図情報111が、図９（ａ）に示すように、携帯型電子情報機器20の表示部400に表示される。
また、表示部400に表示されている地図情報111中には、現在位置情報401が表示される。現在位置情報401は、携帯型電子情報機器20の携行者の現在位置情報401を示している。
現在位置情報401は、携行者の移動に伴って、地図情報111中で移動する。
また、地図情報111中には、観光情報報知ポイント402が表示される。現在位置情報401の緯度経度情報が観光情報報知ポイント402に一致したり、接近すると、図９（ｂ）に示すように、観光情報報知ポイント402に関連付けられた画像情報の表示や、音声情報410の出力が開始させる。
一方、現在位置情報401の緯度経度情報が、経度X1〜X2及び緯度Y3〜Y4の範囲から外れ、例えば経度X2〜X3及び緯度Y3〜Y4に移動すると、ブロックm1に隣接するブロックm2に対応する地図情報111が表示される。
なお、ＧＰＳ衛星40から取得した緯度経度情報を用いて、面的管理エリア70について説明したが、発信側ビーコン端末50から取得した標識情報から現在位置を計測し、当該現在位置の周辺のエリアマップ情報113を、図示しないが、電子情報機器20の表示部400に表示させたり、当該エリアマップ情報113上に現在位置を表示させてもよい。また、現在位置をもとに、標識情報に関連付けられたイベント情報114に含まれる画像情報を、表示部400に表示させたり、当該ベント情報114に含まれる音声情報114を、電子情報機器20の音声出力部410から出力させるようにしてもよい。
【００６１】
（図８を用い、図７のブロックの説明図）
図８を用い、図７のブロックm1〜m9について説明する。
複数のブロックm1〜m9は、一部重複させ、切り替わり時に現在位置情報401を見失わないようにしている。
【００６２】
（図９を用いた表示部400の表示例の説明）
図９を用い、携帯型電子情報機器20の表示部400の表示例について説明する。
表示部400には、図９（ａ）に示すように、取得した現在位置情報401の緯度経度の周辺の地図情報111が表示される。地図情報111には、緯度経度情報が関連付けられている。
地図情報111中には、緯度経度情報と関連付け、複数の観光情報報知ポイント402が配置されている。各観光情報報知ポイント402には、写真やイラスト等の静止画或いは動画等から構成された画像情報、或いは音声情報410が含まれている。
観光情報報知ポイント402は、現在位置情報401の緯度経度情報が当該観光情報報知ポイント402に一致したり、接近すると、図９（ｂ）に示すように、当該観光情報報知ポイント402に関連付けられた画像の表示や、音声情報410の出力が開始されるほか、図９（ａ）に示す観光情報報知ポイント402にタッチすることで、当該観光情報報知ポイント402に関連付けられた画像情報の表示や、音声情報410の出力が開始される。
また、図９（ｃ）に示すように、地図情報111中にウインドウ403を表示させ、当該ウインドウ403内に観光情報報知ポイント402に関連付けられた画像情報を表示させてもよい。ウインドウ403内に画像情報の表示させることで、地図情報111と画像情報とを表示部400内に同時に表示させることができる。
【００６３】
（図１０及び図１１に示す第２の実施の形態）
つぎに、図１０及び図１１を用いて、本発明の第２の実施の形態について説明する。
本実施の形態は、サーバー30に代え、マスコット500との間で無線通信させ、情報を取得できるようにしたものである。
マスコット500には、図示しないが、携帯型電子情報機器20との間で無線通信可能な通信部と、緯度経度情報にもとづく最新の地図情報111、及び緯度経度情報に関連付けられた画像情報及び音声情報411を含む最新の観光情報112を記憶した記憶部とを設けている。
マスコット500を、図１０に示すように、携帯型電子情報機器20の表示部400に載置すると、通信を開始し、マスコット500の記憶部に記憶された地図情報111及び観光情報112を携帯型電子情報機器20に転送し、転送された地図情報111や観光情報112に含まれる画像情報を、表示部400に表示させたり、或いは観光情報112に含まれる音声情報411を音声出力部410から出力させることができる。
マスコット500には、図１１に示すように、携帯型電子情報機器20のイヤホン端子21に差し込み可能なピン形の接続部501を設けておくことで、使用後、接続部501をイヤホン端子21に差し込むことで、携行できるようにしている。
【符号の説明】
【００６４】
（第１の実施の形態）
10  地図情報管理システム        20  携帯型電子情報機器
30  サーバー                    40  ＧＰＳ衛星
50  発信側ビーコン端末
60〜62  線的管理エリア          70  面的管理エリア
100  機器本体                  110  記憶部
111  地図情報                  112  観光情報
113  エリアマップ情報          114  イベント情報
120  線的管理手段              130  面的管理手段
140  エリア管理手段            150  管理切替手段
160  地図検索手段              170  地図表示制御手段
180  観光情報報知手段          190  地図切替手段
200  情報取得手段
300  操作部（タッチパネル）
310  画像取得部（ＣＣＤ）      320  音声情報取得部（マイク）
330  位置情報取得部            340  標識情報取得部
400  表示部（液晶ディスプレイ）    401  現在位置情報
402  観光情報報知ポイント          403  ウインドウ
410  音声出力部（スピーカ）    411  音声情報
420  通信部
Pa1〜Pa5,Pb1〜Pb6  ポイント（地図情報切替ポイント、観光情報報知ポイント）
Ia1〜Ia3,Ib1〜Ib3  画像        Sa1〜Sa3,Sb1〜Sb3  音声
Ｘ,X1〜X4  経度                Ｙ,Y1〜Y4  緯度
（第２の実施の形態）
21  イヤホン端子
500  マスコット                501  接続部
【図１】
2016218337.tif 000003
【図２】
2016218337.tif 000004
【図３】
2016218337.tif 000005
【図４】
2016218337.tif 000006
【図５】
2016218337.tif 000007
【図６】
2016218337.tif 000008
【図７】
2016218337.tif 000009
【図８】
2016218337.tif 000010
【図９】
2016218337.tif 000011
【図１０】
2016218337.tif 000012
【図１１】
2016218337.tif 000013